(57)【要約】【課題】電圧調整を出力端子数の増加に伴って回路規模や判定処理負荷が増大することなく、また、全ての調整値を監視するための切替えスイッチ回路など複雑な回路を付加することなく、簡単な回路構成で調整電圧の異常を検出することができる調整電圧異常判定装置を得る。【解決手段】設定された調整電圧データに基づき調整電圧を出力する複数の電圧調整手段２０と、複数の電圧調整手段２０に所定の順序で調整電圧データを設定する電圧設定手段１３と、所定の順序で設定される複数の電圧調整手段２０のうち、最初に設定される電圧調整手段２０の調整電圧が、しきい値に基づいて、所定の電圧であるか否かを判定する電圧判定手段１２とを設けた。【選択図】図２
2010098501.tif 000002
【特許請求の範囲】
【請求項１】
設定された調整電圧データに基づき調整電圧を出力する複数の電圧調整手段と、
前記複数の電圧調整手段に所定の順序で調整電圧データを設定する電圧設定手段と、
所定の順序で設定される前記複数の電圧調整手段のうち、最初に設定される電圧調整手段の調整電圧が、しきい値に基づいて、所定の電圧であるか否かを判定する電圧判定手段と
を備えたことを特徴とする調整電圧異常判定装置。
【請求項２】
前記電圧判定手段は、前記電圧設定手段によって全ての電圧調整手段への調整電圧データが設定された後、最初に設定された電圧調整手段の調整電圧が、しきい値に基づいて、所定の電圧であるか否かを判定する
ことを特徴とする請求項１記載の調整電圧異常判定装置。
【請求項３】
前記電圧判定手段は、前記電圧調整手段の数をＮとしたとき、前記電圧設定手段によってｎ（Ｎ＞ｎ＞１）番目の電圧調整手段への調整電圧データが設定された後、最初に設定された電圧調整手段の調整電圧が、しきい値に基づいて、所定の電圧であるか否かを判定する
ことを特徴とする請求項１記載の調整電圧異常判定装置。
【請求項４】
前記電圧設定手段は、全ての電圧調整手段の出力をＯＦＦとし、
次に、前記電圧設定手段は、所定の順序で調整電圧データを全ての電圧調整手段に設定し、
次に、前記電圧設定手段は、最初に設定した電圧調整手段の出力のみＯＮとし、
前記電圧判定手段により正常と判定された場合に、前記電圧設定手段は、２番目以降に設定した電圧調整手段の出力を所定の順序でＯＮする
ことを特徴とする請求項１から請求項３までのいずれかに記載の調整電圧異常判定装置。
【請求項５】
前記電圧判定手段により異常と判定された場合に、予め決められた回数を上限として、異常判定が解除されるまで前記電圧設定手段、前記電圧調整手段及び前記圧判定手段の処理を繰り返す
ことを特徴とする請求項１から請求項４までのいずれかに記載の調整電圧異常判定装置。
【請求項６】
前記電圧判定手段により異常と判定された場合、本装置が組み込まれる機器全体あるいは一部にリセットを掛ける再起手段をさらに備えた
ことを特徴とする請求項１から請求項５までのいずれかに記載の調整電圧異常判定装置。
【請求項７】
前記電圧判定手段による判定は、本装置が組み込まれる機器の電源投入時に実施される
ことを特徴とする請求項１から請求項６までのいずれかに記載の調整電圧異常判定装置。
【請求項８】
前記電圧判定手段による判定は、本装置が組み込まれる機器の処理周期毎に実施される
ことを特徴とする請求項１から請求項６までのいずれかに記載の調整電圧異常判定装置。
【請求項９】
本装置が搭載された自車の速度を取得する車速取得手段をさらに備え、
前記電圧判定手段は、得られた車速が予め決められた速度以下であるときに、判定を実施する
ことを特徴とする請求項１から請求項６までのいずれかに記載の調整電圧異常判定装置。
【請求項１０】
前記電圧判定手段による判定は、本装置が組み込まれる車載用レーダ装置が電波を出力していないときに実施される
ことを特徴とする請求項１から請求項６までのいずれかに記載の調整電圧異常判定装置。
【発明の詳細な説明】
【技術分野】
【０００１】
この発明は、高周波回路の調整電圧異常判定装置に関するものである。
【背景技術】
【０００２】
高精度の電圧調整が必要な制御系において、電圧調整手段としてＤＡ変換器を用いることが一般的である。
【０００３】
高周波回路の電圧調整に関する従来技術としては、ミリ波の電波を送受信するミリ波送受信モジュールにおいて、送信系、受信系及び周波数逓倍系の３系統のＭＭＩＣ群では、それぞれのＭＭＩＣにゲート電圧を供給する送信系、受信系及び周波数逓倍系の３系統のバイアス調整系が必要となっており、これらバイアス調整系の電圧調整手段として、複数のＤＡ変換器が用いられている（例えば、特許文献１参照）。
【０００４】
その他、ＥＴＣ車載器内部に設けられた高周波回路の特性の製品バラツキを補正するため、高周波回路に供給されるアナログ信号には高精度の電圧調整に、複数のＤＡ変換器が用いられている（例えば、特許文献２参照）。
【０００５】
これら、ＤＡ変換器を用いた高精度の電圧調整手段において、ＤＡ変換器の動作異常を検出する手段としては、ＤＡ変換器の出力をＡＤ変換器に戻して、デジタル値として比較し、ＤＡ変換器の異常を検出する手法がある（例えば、特許文献３参照）。
【０００６】
【特許文献１】特許第４０８７８０２号公報
【特許文献２】特開２００６−２６２２５９号公報
【特許文献３】特開平５−１９１２８０号公報
【発明の開示】
【発明が解決しようとする課題】
【０００７】
上記の特許文献１や、特許文献２で述べられた従来技術のように、高周波回路を搭載する機器においては、ＤＡ変換器の動作異常が高周波回路の特性異常や故障を招き、場合によっては、製品から出力される電波が規定の出力や周波数帯から逸脱し、法規違反を招く恐れもあり、ＤＡ変換器の異常を監視することが必要である。
【０００８】
したがって、これらのＤＡ変換器の動作異常や故障を監視する為には、特許文献３の従来技術等を用いることになるが、調整箇所数が多くなると、調整値を出力するＤＡ変換器の出力端子毎に個別の監視が必要となり、ＤＡ変換器の出力端子数の増加に伴い、出力端子を監視するための回路規模や判定のための処理負荷が増大するという問題点があった。
【０００９】
この発明は、上述のような課題を解決するためになされたもので、その目的は、電圧調整を出力端子数の増加に伴って回路規模や判定処理負荷が増大することなく、また、全ての調整値を監視するための切替えスイッチ回路など複雑な回路を付加することなく、簡単な回路構成で調整電圧の異常を検出することができる調整電圧異常判定装置を得るものである。
【課題を解決するための手段】
【００１０】
この発明に係る調整電圧異常判定装置は、設定された調整電圧データに基づき調整電圧を出力する複数の電圧調整手段と、前記複数の電圧調整手段に所定の順序で調整電圧データを設定する電圧設定手段と、所定の順序で設定される前記複数の電圧調整手段のうち、最初に設定される電圧調整手段の調整電圧が、しきい値に基づいて、所定の電圧であるか否かを判定する電圧判定手段とを設けたものである。
【発明の効果】
【００１１】
この発明に係る調整電圧異常判定装置は、電圧調整を出力端子数の増加に伴って回路規模や判定処理負荷が増大することなく、また、全ての調整値を監視するための切替えスイッチ回路など複雑な回路を付加することなく、簡単な回路構成で調整電圧の異常を検出することができるという効果を奏する。
【発明を実施するための最良の形態】
【００１２】
実施の形態１．
この発明の実施の形態１に係る調整電圧異常判定装置について図１及び図２を参照しながら説明する。図１は、この発明の実施の形態１に係る調整電圧異常判定装置の構成を示すブロック図である。なお、以降では、各図中、同一符号は同一又は相当部分を示す。
【００１３】
図１において、この発明の実施の形態１に係る調整電圧異常判定装置１００は、設定された調整電圧データに基づき調整電圧を出力する複数（♯１〜♯Ｎ）の電圧調整手段２０と、複数の電圧調整手段２０に所定の順序で調整電圧データを設定する電圧設定手段１３と、所定の順序で設定される複数の電圧調整手段２０のうち、最初に設定される電圧調整手段２０の調整電圧が、しきい値に基づいて、所定の電圧であるか否かを判定する電圧判定手段１２とが設けられている。
【００１４】
電圧判定手段１２の判定は、後段の被調整回路部である高周波回路２００の各入力端子のうち最初に調整する端子の電圧よって実施される。電圧調整手段２０は、後述するように、例えば、レジスタ、ＤＡ変換器及び出力バッファで構成される。
【００１５】
図１の高周波回路２００では、各入力端子に所定の順序で電圧調整する必要があり、このため複数の電圧調整手段２０は、電圧設定手段１３により所定の順序で設定される。
【００１６】
図２は、この発明の実施の形態１に係る調整電圧異常判定装置の詳細構成を示すブロック図である。
【００１７】
図２において、この発明の実施の形態１に係る調整電圧異常判定装置１００Ａは、マイコン１０と、複数（♯１〜♯Ｎ）の電圧調整手段２０とが設けられている。
【００１８】
また、マイコン１０は、ＲＯＭ１１と、電圧判定手段１２と、電圧設定手段１３とから構成されている。なお、電圧判定手段１２及び電圧設定手段１３は、ソフトウェアから構成されている。
【００１９】
さらに、電圧調整手段２０は、レジスタ２１と、ＤＡ変換器２２と、出力バッファ２３とから構成されている。
【００２０】
電圧設定手段１３は、所望の出力電圧を得る為のデータを設定し、本データをデジタル信号Ｓ１により、電圧調整手段２０内の複数のレジスタ２１へ出力する。電圧調整手段２０は、デジタル信号Ｓ１により、レジスタ２１に入力されたレジスタデータを、ＤＡ変換器２２でデジタル値からアナログ値へＤＡ変換し、出力バッファ２３を介してアナログ電圧として出力する。
【００２１】
電圧判定手段１２は、♯１の出力バッファ２３の出力を監視して出力電圧が所定の電圧であるか否かを判定する。このとき、電圧判定手段１２へ入力する電圧は、高周波回路２００の各入力端子で最初に調整する端子の電圧である。また、電圧判定手段１２では、ＲＯＭ１１に予め記憶してあるしきい値に基づいて異常判定がなされる。
【００２２】
なお、しきい値は１値に限定したものではない。調整箇所毎の複数のしきい値、さらには上限値／下限値などを設けることで、監視する端子電圧の固体ばらつき、温度電圧特性、経年変化などを考慮した異常検知が可能となる。
【００２３】
電圧設定手段１３は、予め、高周波回路２００の各端子を所定の順序で調整するための調整順序が設定されてあって、この順序に基づいて、各レジスタ２１へ調整電圧データを設定する。調整電圧データは、予めＲＯＭ１１に記憶されている。
【００２４】
つぎに、この実施の形態１に係る調整電圧異常判定装置の動作について図面を参照しながら説明する。
【００２５】
本実施の形態１に係る調整電圧異常判定装置１００Ａによる異常判定は、組み込まれる、あるいは搭載される機器の電源投入時に行うこととする。
【００２６】
電源投入後、電圧設定手段１３は、ＲＯＭ１１から所定の順序でレジスタデータ（調整電圧データ）を読み出し、デジタル信号Ｓ１によってレジスタ２１に出力する。ＤＡ変換器２２は、このレジスタデータをＤＡ変換しアナログ電圧を生成し、出力バッファ２３を介して調整電圧が出力される。
【００２７】
レジスタ２１、ＤＡ変換器２２及び出力バッファ２３からなる電圧調整手段２０の数をＮとすると、本調整は１からＮまで実施されるが、２番目以降の調整を行う前に、まず最初（例えば、♯１）の電圧調整手段２０により調整した結果を電圧判定手段１２で判定する。
【００２８】
電圧判定手段１２は、ＲＯＭ１１に記憶されたしきい値を基づいて、電圧調整手段２０からの入力が所定の電圧であるか否かを監視し、異常を判定する。
【００２９】
電圧判定手段１２による判定の結果、入力された電圧値が所望の値であれば、例えば、入力された電圧値がしきい値以上、あるいはしきい値未満の場合に、正常と判定し、引き続き２番目以降の調整を実施する。
【００３０】
電圧判定手段１２による判定の結果、入力された電圧値が所望の値でなければ、例えば、入力された電圧値がしきい値未満、あるいはしきい値以上の場合に、異常と判定し、機器の異常や性能が低下したことをフェールとして、通信等の手段を介して他の制御機器やユーザに通知する。
【００３１】
この調整電圧異常判定装置１００Ａによれば、最初の調整だけでその電圧調整手段２０の異常を判定できるため、異常を検出するための複数のＡＤ変換器や切替えスイッチ回路などの複雑な回路を必要とせず、かつ、調整箇所数の増加に伴って回路規模や判定処理負荷が増大することを回避できる。従って、回路規模を最小限に留めたまま、一連の調整に関する異常を検知できる。
【００３２】
また、電源投入時に本調整を行うことで、動作をはじめる前に異常判断ができ、電源投入毎に異常検出を行うこととなるため、経年変化等による異常に対しても、速やかに異常を判断することができる。
【００３３】
実施の形態２．
この発明の実施の形態２に係る調整電圧異常判定装置について説明する。この発明の実施の形態２に係る調整電圧異常判定装置の構成は、図２の実施の形態１と同様である。
【００３４】
上記の実施の形態１では、最初の調整電圧を調整した後に、電圧判定手段１２により判定することで、電圧設定手段１３からＤＡ変換器２２や出力バッファ２３までの回路上の異常を検知することは可能であるが、他の調整電圧の調整中にサージ等のノイズによって、調整値に不具合が生じても検出できないといった問題が残っている。
【００３５】
そこで、この実施の形態２では、係る問題を解決するための対策について説明する。構成は、上述したように、実施の形態１と同一であり、レジスタ２１、ＤＡ変換器２２及び出力バッファ２３で構成された電圧調整手段２０と、ＲＯＭ１１、電圧判定手段１２及び電圧設定手段１３を含むマイコン１０から構成されている。
【００３６】
ここで、上記の実施の形態１では、最初の調整を実施した後に電圧判定手段１２により判定を実施することとしたが、この実施の形態２では、全ての電圧調整を施した後に、電圧判定手段１２により最初の調整電圧の判定を実施する。
【００３７】
つぎに、この実施の形態２に係る調整電圧異常判定装置の動作について図面を参照しながら説明する。
【００３８】
調整開始時、電圧設定手段１３は、ＲＯＭ１１から所定の順序で電圧調整データを読み出し、このデータをデジタル信号Ｓ１としてレジスタ２１に出力する。ＤＡ変換器２２では、このレジスタデータをＤＡ変換してアナログ電圧を生成し、生成されたアナログ電圧は出力バッファ２３から出力される。
【００３９】
レジスタ２１、ＤＡ変換器２２及び出力バッファ２３からなる電圧調整手段２０の数をＮとしたとき、上記調整を♯１から♯Ｎまで実施する。
【００４０】
次に、最初に調整した出力バッファ２３の出力電圧を、電圧判定手段１２でモニタする。この電圧判定手段１２は、ＲＯＭ１１に記憶されたしきい値を基づいて、最初に調整した出力バッファ２３からの入力が所定の電圧であるか否かを監視し、異常を判定する。
【００４１】
電圧判定手段１２による判定の結果、入力された電圧値が所望の値であれば、例えば、入力された電圧値がしきい値以上、あるいはしきい値未満の場合に、正常と判定し、引き続き機器の処理を継続する。
【００４２】
電圧判定手段１２による判定の結果、入力された電圧値が所望の値でなければ、例えば、入力された電圧値がしきい値未満、あるいはしきい値以上の場合に、異常と判定し、通信等の手段を介して他の制御機器やユーザに通知する。
【００４３】
このようにすることで、例えば、調整中にサージやノイズ等が発生し、それ以前に設定されたレジスタ２１の内容が失われたとしても、全ての調整電圧を設定した後に最初に調整した値を監視することとすれば、レジスタ２１の内容に異常が生じたか否かを確認でき、後段の高周波回路２００がダメージを受ける前に調整電圧値の異常を判定できる。
【００４４】
異常と判定された場合、予め決められた回数を上限として、異常判定が解除されるまで、上述した調整開始時の電圧設定手段１３によるＲＯＭ１１から所定の順序で電圧調整データを読み出す処理から、電圧判定手段１２による判定の結果、入力された電圧値が所望の値であれば、正常と判定する処理までを繰り返し実施しても良い。
【００４５】
実際、調整中に発生したサージやノイズ発生による設定値異常は、一時的なものである場合が多く、ノイズがなくなれば正常動作が行える場合には、異常と判定すべきではない。従って、上記のように繰り返し実施することにより、ノイズがなくなれば正常動作が行えるにもかかわらず異常と判断してしまう不具合が回避できる。
【００４６】
実施の形態３．
この発明の実施の形態３に係る調整電圧異常判定装置について説明する。この発明の実施の形態３に係る調整電圧異常判定装置の構成は、図２の実施の形態１と同様である。
【００４７】
上記の実施の形態２では、Ｎ箇所の電圧調整手段２０全てに対して調整が実施された後、電圧判定手段１２により判定を行っていたが、１番目からＮ番目の間のｎ番目の電圧調整を行った後に、電圧判定手段１２により最初の調整電圧の判定を実施しても構わない。
【００４８】
特に、後段の被調整回路部である高周波回路２００において、調整電圧を印加した後でなければ調整ができない端子を有する場合や、システムの都合上、早期に調整電圧を印加しなければならない端子を有する場合などでは、全ての調整電圧を完了した後の判定では不都合を生じる場合がある。
【００４９】
このような場合は、先に調整電圧を印加しなければならないｎ箇所の調整が終わった後、電圧判定手段１２により判定を行えば上述の不都合を回避できる。つまり、後段の被調整回路部において、調整電圧を印加した後でなければ調整が出来ない端子を有する場合や、システムの都合上、早期に調整電圧を印加しなければならない端子を有する場合などでも、速やかに調整電圧の異常を検出できる。
【００５０】
実施の形態４．
この発明の実施の形態４に係る調整電圧異常判定装置について図３を参照しながら説明する。図３は、この発明の実施の形態４に係る調整電圧異常判定装置の詳細構成を示すブロック図である。なお、この実施の形態４は、他の実施の形態にも適用できる。
【００５１】
この実施の形態４は、上記の各実施の形態の構成に加えて、出力バッファ２３の出力電圧をＯＮ／ＯＦＦする機能を備え、異常検知に加えて、より確実に後段の高周波回路２００の保護を行うことができる。
【００５２】
この実施の形態４に係る調整電圧異常判定装置１００Ｂの基本的な構成は、上記の実施の形態１と同一であり、ＲＯＭ１１、電圧判定手段１２及び電圧設定手段１３を含むマイコン１０と、レジスタ２１、ＤＡ変換器２２及び出力バッファ２３を含む電圧調整手段２０とから構成されている。
【００５３】
図３中のＳ２は、電圧設定手段１３から出力バッファ２３の出力をＯＮ／ＯＦＦするための出力バッファＯＮ／ＯＦＦ制御信号である。
【００５４】
このＯＮ／ＯＦＦ機能を備えた場合の動作例を説明する。まず、電圧設定手段１３は、出力バッファＯＮ／ＯＦＦ制御信号Ｓ２により全ての出力バッファ２３の出力をＯＦＦとする。
【００５５】
次に、電圧設定手段１３は、ＲＯＭ１１から所定の順序でレジスタデータ（調整電圧データ）を読み出し、デジタル信号Ｓ１として調整電圧データをレジスタ２１に書き込む。その後、ＤＡ変換器２２では、このレジスタデータをＤＡ変換してアナログ電圧を生成し、生成されたアナログ電圧は出力バッファ２３に入力される。
【００５６】
ここで、出力バッファ２３は、前述の通り出力バッファＯＮ／ＯＦＦ制御信号Ｓ２によりＯＦＦに設定されているため、この段階ではまだ出力バッファ２３から出力されていない状況にある。
【００５７】
上記の状態で、レジスタ２１、ＤＡ変換器２２及び出力バッファ２３からなるＮ箇所の電圧調整手段２０の全てに対して調整を実施する。
【００５８】
電圧設定手段１３によって全ての調整を実施した後、最初に調整した出力バッファ２３の出力のみＯＮとする。
【００５９】
このときの出力電圧を電圧判定手段１２でモニタし、電圧判定手段１２は、ＲＯＭ１１に記憶されたしきい値を基づいて判定する。
【００６０】
電圧判定手段１２の判定が正常ならば、２番目以降の出力バッファ２３の出力を電圧設定手段１３により所定の順序でＯＮする。
【００６１】
電圧判定手段１２の判定が異常ならば、予め決められた回数を上限として、異常判定が解除されるまで、電圧設定手段１３による、出力バッファＯＮ／ＯＦＦ制御信号Ｓ２により全ての出力バッファ２３の出力電圧をＯＦＦとする処理から、電圧設定手段１３によって全ての調整を実施した後、最初に調整した出力バッファ２３の出力電圧のみＯＮとし、このときの出力電圧を電圧判定手段１２でモニタし、電圧判定手段１２により、ＲＯＭ１１に記憶されたしきい値を基づいて判定する処理までを繰り返す。
【００６２】
電圧判定手段１２の判定が異常で、かつ電圧設定手段１３による、出力バッファＯＮ／ＯＦＦ制御信号Ｓ２により全ての出力バッファ２３の出力電圧をＯＦＦとする処理から、電圧設定手段１３によって全ての調整を実施した後、最初に調整した出力バッファ２３の出力電圧のみＯＮとし、このときの出力電圧を電圧判定手段１２でモニタし、電圧判定手段１２により、ＲＯＭ１１に記憶されたしきい値を基づいて判定する処理を繰り返し実施して、予め決められた回数以内に電圧判定手段１２の判定が正常となれば、２番目以降の出力バッファ２３の出力電圧を電圧設定手段１３により所定の順序でＯＮする。
【００６３】
電圧判定手段１２の判定が異常で、かつ電圧設定手段１３による、出力バッファＯＮ／ＯＦＦ制御信号Ｓ２により全ての出力バッファ２３の出力電圧をＯＦＦとする処理から、電圧設定手段１３によって全ての調整を実施した後、最初に調整した出力バッファ２３の出力電圧のみＯＮとし、このときの出力電圧を電圧判定手段１２でモニタし、電圧判定手段１２により、ＲＯＭ１１に記憶されたしきい値を基づいて判定する処理を繰り返し実施して、予め決められた回数を繰り返しても正常とならない場合は、異常と判定する。
【００６４】
なお、判定が異常時に所定の回数繰り返すとしたが、繰り返さずに１度目の判定だけで、異常と判定しても構わない。
【００６５】
このようにすることによって、正しく調整が完了した場合のみ後段の高周波回路２００に調整電圧を印加できるため、後段の被調整回路部である高周波回路２００の保護を確実に実施できる。
【００６６】
この場合、最初の電圧調整は後段の高周波回路２００への影響がない調整箇所であれば、なお安全である。もちろん、最初の設定電圧をダミー電圧としても構わない。
【００６７】
実施の形態５．
この発明の実施の形態５に係る調整電圧異常判定装置について図４を参照しながら説明する。図４は、この発明の実施の形態５に係る調整電圧異常判定装置の詳細構成を示すブロック図である。なお、この実施の形態５は、他の実施の形態にも適用できる。
【００６８】
図４において、実施の形態５に係る調整電圧異常判定装置１００Ｃは、ＲＯＭ１１、電圧判定手段１２、電圧設定手段１３及び再起手段１４を含むマイコン１０と、レジスタ２１、ＤＡ変換器２２及び出力バッファ２３を含む電圧調整手段２０とから構成されている。
【００６９】
再起手段１４は、電圧判定手段１２による判定結果に基づいて、異常の場合には、組み込まれる、あるいは搭載される機器全体あるいは一部にリセットを掛ける。
【００７０】
なお、電圧判定手段１２の判定結果が異常と判定された場合、予め決められた回数を上限として、異常判定が解除されるまで電圧調整を繰り返し実施した後、それでも異常と判断された場合にリセットを掛けても良い。
【００７１】
この実施の形態５によれば、異常判定時に機器全体あるいは一部にリセットを掛けることで、他の回路の物理的な非可逆な故障を除き、他の外部機能の動作不良、例えばＤＡ変換器の通信機能がハングアップすることによってレジスタに所定のデータが書き込めない状態となる等の不具合を解消できる。
【００７２】
また、電圧判定手段１２による判定結果が異常の場合であっても、電圧判定手段１２の判定を既定回数繰り返し試行することで、誤判定の確率が低減されるので異常判定に対する信頼性が向上でき、誤判定によって機器に頻繁にリセットが掛かることを防ぐことができる。
【００７３】
実施の形態６．
この発明の実施の形態６に係る調整電圧異常判定装置について説明する。この発明の実施の形態６に係る調整電圧異常判定装置の構成は、図２の実施の形態１と同様である。
【００７４】
上記の実施の形態１では、調整電圧異常判定装置１００Ａによる判定は、組み込まれる、あるいは搭載される機器の電源投入時に行うとしたが、上記の実施の時期に加えて、機器の処理周期毎に実施しても良い。
【００７５】
これにより、電源投入時だけでなく、機器の処理周期毎に調整電圧異常判定装置１００Ａによる異常検知が実施できるので、動作異常を速やかに判定できる。特に、処理周期が短い場合などでは、ほぼリアルタイムでの異常判定が可能となる。
【００７６】
なお、機器が車載用レーダ装置である場合には、調整電圧異常判定装置１００Ａによる判定を、車載用レーダ装置が電波を出力していない期間に実施しても構わない。このようにした場合にも、動作異常を速やかに判定でき、ほぼリアルタイムでの異常判定が可能となる。
【００７７】
実施の形態７．
この発明の実施の形態７に係る調整電圧異常判定装置について図５を参照しながら説明する。図５は、この発明の実施の形態７に係る調整電圧異常判定装置の詳細構成を示すブロック図である。なお、この実施の形態７は、他の実施の形態にも適用できる。
【００７８】
図５において、実施の形態７に係る調整電圧異常判定装置１００Ｄは、ＲＯＭ１１、電圧判定手段１２及び電圧設定手段１３を含むマイコン１０と、レジスタ２１、ＤＡ変換器２２及び出力バッファ２３をそれぞれ含む複数の電圧調整手段２０と、インターフェース（Ｉ／Ｆ）などの車速取得手段３０とから構成されている。
【００７９】
この実施の形態７においては、調整電圧異常判定装置１００Ｄの用途が車両に搭載された機器、例えば車載用レーダ装置を例に説明する。
【００８０】
車速取得手段３０は、スピードメータ、車速センサー、あるいは、車載用レーダ装置自身の演算処理の過程で得られた自車の速度を取得する。マイコン１０内の電圧判定手段１２は、得られた車速が予め決められた速度以下であるときに、判定を実施する。
【００８１】
これにより、例えば、定速走行装置、追従機能、前方障害物衝突軽減制動装置などの車載用レーダ装置を有するアプリケーションにおいて、そのアプリケーションが動作していない状況で異常判定を実施できるので、処理周期毎や電波を出力していない期間での異常判定がなんらかの理由で実行できない場合であっても、電源投入毎よりは判定頻度を向上させ、速やかに異常判定を行うことができる。
【図面の簡単な説明】
【００８２】
【図１】この発明の実施の形態１に係る調整電圧異常判定装置の構成を示すブロック図である。
【図２】この発明の実施の形態１に係る調整電圧異常判定装置の詳細構成を示すブロック図である。
【図３】この発明の実施の形態４に係る調整電圧異常判定装置の詳細構成を示すブロック図である。
【図４】この発明の実施の形態５に係る調整電圧異常判定装置の詳細構成を示すブロック図である。
【図５】この発明の実施の形態７に係る調整電圧異常判定装置の詳細構成を示すブロック図である。
【符号の説明】
【００８３】
１０  マイコン、１１  ＲＯＭ、１２  電圧判定手段、１３  電圧設定手段、１４  再起手段、２０  電圧調整手段、２１  レジスタ、２２  ＤＡ変換器、２３  出力バッファ、３０  車速取得手段、１００  調整電圧異常判定装置、１００Ａ  調整電圧異常判定装置、１００Ｂ  調整電圧異常判定装置、１００Ｃ  調整電圧異常判定装置、１００Ｄ  調整電圧異常判定装置、２００  高周波回路。
【図１】
2010098501.tif 000003
【図２】
2010098501.tif 000004
【図３】
2010098501.tif 000005
【図４】
2010098501.tif 000006
【図５】
2010098501.tif 000007